(57)【要約】 【課題】水槽内の水面に送風して水槽内水温度を調整するための水槽水温調整用送風装置であって、従来の、送風機部分を、その吸気口も含めて水槽内水面上方に配置するタイプの送風装置と比べると、効率よく水槽内水の水温調整を行える水槽水温調整用送風装置を提供する。【解決手段】外気吸引口２１１と、送風口２２ｂと、水槽９へ付設するための付設部３とを含んでおり、付設部３にて水槽９に付設され状態で外気吸引口２１１が水槽９の外側で、水槽９の上端開口面より下方に位置するとともに送風口２２ｂが水槽内水面ＷＦに送風する位置をとる水槽水温調整用送風装置Ａ。【選択図】  図１
2006149362.tif 000002
【特許請求の範囲】
【請求項１】
水槽内の水面に送風して水槽内水温度を調整するための水槽水温調整用送風装置であり、外気吸引口と、送風口と、水槽へ付設するための付設部とを含んでおり、該付設部にて水槽に付設された状態で該外気吸引口が水槽の外側で水槽の上端開口面より下方に位置するとともに該送風口が水槽内水面に送風する位置をとることを特徴とする水槽水温調整用送風装置。
【請求項２】
吸気口と排気口を有する送風機を含んでおり、前記外気吸引口は該送風機の吸気口に連通しており、前記送風口は該送風機の排気口に連通している請求項１記載の水槽水温調整用送風装置。
【請求項３】
前記送風機は送風機支持部に支持されており、該送風機支持部は、該送風機を保持する送風機保持部分と、該送風機保持部分から延びる送風ダクトとを含んでおり、前記外気吸引口は該送風機保持部分に形成されていて該送風機の吸気口に連通しており、該送風ダクトは一端開口が該送風機の排気口に臨んでおり、前記送風口は該送風ダクトの他端開口により提供されている請求項２記載の水槽水温調整用送風装置。
【請求項４】
前記付設部は、水槽の上端縁部に対し係合脱離可能の係合部と、水槽側壁外面に吸着可能の吸盤とを含んでいる請求項１、２又は３記載の水槽水温調整用送風装置。
【請求項５】
前記付設部は、前記送風ダクトに設けられた、水槽の上端縁部に係合脱離可能の係合部と、前記送風機保持部分に設けられた、水槽側壁外面に吸着可能の吸盤とを含んでいる請求項３記載の水槽水温調整用送風装置。
【請求項６】
前記付設部の係合部は、前記水槽上端縁部に上方から着座可能の着座部と、該水槽上端縁部に水槽内側から当接可能の当接位置又は該当接位置から後退した後退位置をとることができる当接部材と、該当接部材を前記当接位置に維持可能の当接位置維持部とを含んでいる請求項４又は５記載の水槽水温調整用送風装置。
【請求項７】
前記付設部の係合部は、前記水槽上端縁部に上方から着座可能の着座部と、該水槽上端縁部に水槽内側から当接可能の当接位置又は該当接位置から後退した後退位置をとることができる当接部材と、該当接部材を前記当接位置に維持可能の当接位置維持部とを含んでおり、
前記送風ダクトは前記送風機の排気口に臨む一端開口部分から立ち上がる立ち上がり部分と、該立ち上がり部分から横方向に延びて前記送風口を提供する横方向部分とを含んでおり、前記付設部の係合部の着座部は、該送風ダクトの横方向部分に設けられており、当接部材は、該送風ダクトの横方向部分に、前記当接位置から前記後退位置へ、該後退位置から該当接位置へ往復動可能に設けられており、当接位置維持部は、該送風ダクトの横方向部分に設けられた複数段の爪係合部と、前記当接部材に設けられて、該爪係合部に対し係合脱離可能の爪部とを含んでいる請求項５記載の水槽水温調整用送風装置。
【発明の詳細な説明】
【技術分野】
【０００１】
本発明は、魚等の動物の飼育や観賞、植物の育成や観賞等に用いることができる水槽の槽内水面に送風して水槽内水温度を調整するための水槽水温調整用送風装置に関する。
【背景技術】
【０００２】
かかる水槽水温調整用送風装置としては、例えば、「海水魚とサンゴを楽しむ本」（（株）えい出版社  ２００５年１月３０日発行）の１３５頁に掲載されているように、送風機をアーム部材で支持し、該アーム部材を水槽の上端縁部に取り外し可能に連結することで、該送風機を水面上方に配置するタイプのものや、送風機を取り付け金具で水槽の上端縁部に取り外し可能に連結することで、該送風機を水面上方に配置するタイプのものが知られている。
【０００３】
【非特許文献１】「海水魚とサンゴを楽しむ本」（（株）えい出版社  ２００５年１月３０日発行）１３５頁
【発明の開示】
【発明が解決しようとする課題】
【０００４】
しかしながら、かかる従来タイプの送風装置は、送風機が槽内水面上方に配置されるため、送風機の吸気口も水槽内水面の上方に配置され、水面からの蒸気が該送風機に直接的に吸い込まれて再び水面に吹きつけられる蒸気循環が発生し、そのため、水面への送風による水温調整が不十分になりがちで、水温調整能の点で満足できるものではなかった。
【０００５】
そこで本発明は、水槽内の水面に送風して水槽内水温度を調整するための水槽水温調整用送風装置であって、従来の、送風機部分を、その吸気口も含めて水槽内水面上方に配置するタイプの送風装置と比べると、効率よく水槽内水の水温調整を行える水槽水温調整用送風装置を提供することを課題とする。
【課題を解決するための手段】
【０００６】
前記課題を解決するため本発明は、
水槽内の水面に送風して水槽内水温度を調整するための水槽水温調整用送風装置であり、外気吸引口と、送風口と、水槽へ付設するための付設部とを含んでおり、該付設部にて水槽に付設された状態で該外気吸引口が水槽の外側で水槽の上端開口面より下方に位置するとともに該送風口が水槽内水面に送風する位置をとる水槽水温調整用送風装置を提供する。
【０００７】
本発明に係る送風装置は、その付設部にて水槽へ付設して用いることができる。付設部にて水槽に付設された状態では、外気吸引口が水槽の外側で水槽の上端開口面より下方に位置するので、槽内水面から上昇してくる蒸気が直接的に送風装置に吸い込まれることが抑制され、水槽周囲の外気が送風装置に吸い込まれる。
【０００８】
このように吸い込まれた外気が、水槽内水面に送風する位置をとる送風口から水面に向けて吹きつけられる。かくして、水面への送風量が従来タイプの送風装置と同じ、或いはほぼ同じであるような場合でも、該送風により効率よく槽内水温を調整できる。
なお、槽内水温の調整は、通常は、送風による冷却効果で水温を低下させる水温調整である。
【０００９】
本発明に係る送風装置は、送風装置を構成するフアン等を含む部分（送風装置本体）が外気吸引口及び送風口等と一体的に組み上げられたものでもよいが、別途準備された、吸気口と排気口を有する送風機を組み込んだものでもよい。かかる送風機を採用する場合、前記外気吸引口は該送風機の吸気口に連通させ、前記送風口は該送風機の排気口に連通させればよい。
【００１０】
かかる送風機を採用する場合、該送風機を送風機支持部で支持してもよい。この場合、該送風機支持部として、送風機本体を保持する送風機保持部分と、該送風機保持部分から延びる送風ダクトとを含むものを採用してもよい。
【００１１】
かかる送風機支持部を採用する場合、前記外気吸引口は該送風機保持部分に、送風機の吸気口に連通するように形成することができる。また、該送風ダクトとして、その一端開口が該送風機の排気口に臨んでおり、前記送風口が該送風ダクトの他端開口により提供されるものを採用することができる。
【００１２】
いずれにしても、前記付設部としては、構造簡単なものとして、水槽の上端縁部に対し係合脱離可能の係合部と、水槽側壁外面に吸着可能の吸盤とを含んでいるものを例示できる。
【００１３】
既述のように、送風機を採用し、これを送風機保持部分と送風ダクトを有する送風機支持部で支持する場合には、前記付設部として、該送風ダクトに設けられた、水槽の上端縁部に係合脱離可能の係合部と、該送風機保持部分に設けられた、水槽側壁外面に吸着可能の吸盤とを含むものを例示できる。
【００１４】
いずれにしても、前記付設部の係合部としては、水槽上端縁部に上方から着座可能の着座部と、該水槽上端縁部に水槽内側から当接可能の当接位置又は該当接位置から後退した後退位置をとることができる当接部材と、該当接部材を前記当接位置に維持可能の当接位置維持部とを含んでいる係合部を例示できる。
【００１５】
このタイプの係合部によると、その着座部で水槽上端縁部に着座させるとともに、当接部材を水槽上端縁に水槽内側から当接させ、その状態を当接位置維持部に維持させることができるので、係合部を安定的に水槽上端縁部に係合させ、ひいては、送風装置全体をそれだけ安定的に水槽に付設することができる。
【００１６】
既述のように、送風機を採用し、これを送風機保持部分と送風ダクトを有する送風機支持部で支持する場合、該送風ダクトとして、送風機の排気口に臨む一端開口部分から立ち上がる立ち上がり部分と、該立ち上がり部分から横方向に延びて前記送風口を提供する横方向部分とを含むものを採用してもよい。
【００１７】
このような送風ダクトを採用し、且つ、付設部の係合部として、既述のように、着座部、当接部材及び当接位置維持部を有するものを採用する場合、該着座部は、該送風ダクトの横方向部分に設けてもよい。さらに、該当接部材も、該送風ダクトの横方向部分に、前記当接位置から前記後退位置へ、該後退位置から該当接位置へ往復動可能に設けることもできる。
【００１８】
また、当接位置維持部として、該送風ダクトの横方向部分に設けられた複数段の爪係合部と、前記当接部材に設けられて、該爪係合部に対し係合脱離可能の爪部とを含んでいるものを採用することもできる。
【発明の効果】
【００１９】
以上説明したように本発明によると、水槽内の水面に送風して水槽内水温度を調整するための水槽水温調整用送風装置であって、従来の、送風機部分を、その吸気口も含めて水槽内水面上方に配置するタイプの送風装置と比べると、効率よく水槽内水の水温調整を行える水槽水温調整用送風装置を提供することができる。
【発明を実施するための最良の形態】
【００２０】
以下、本発明の実施の形態を説明する。
図１は本発明に係る水槽水温調整用送風装置の１例Ａを、水槽に付設した状態で示している。図２は図１に示す送風装置Ａを図１において右側から見た図である。
【００２１】
図示の水槽水温調整用送風装置Ａは、吸気口１１及び排気口１２を有する送風機１及びこの送風機１を支持する送風機支持部２を含んでおり、さらに送風装置Ａ全体を水槽９に付設する付設部３を有している。
【００２２】
送風機支持部２は、送風機１を内部に収容保持したケース形態の送風機保持部分２１及びこれに接続された送風ダクト２２を含んでいる。送風機保持部分２１には外気吸引口２１１が形成されており、この外気吸引口２１１は、送風機保持部分２１内に形成された吸気路により送風機１の吸気口１１に連通している。
【００２３】
送風ダクト２２は、下端開口２２ａ（送風ダクト２２全体からみた一端開口）部分から立ち上がる立ち上がり部分２２１及び該立ち上がり部分から、送風機１とは反対側へ略９０度曲がって横方向に延びる横方向部分２２２を有している。立ち上がり部分２２１の下端開口２２ａは、送風機１の排気口１２に臨んでいる。横方向部分２２２は、先端部分が水槽９内の水面ＷＦへ向け下方へ傾斜している。横方向部分２２２の先端開口（送風ダクト２２全体からみた他端開口）は送風口２２ｂとして用いられる。
【００２４】
付設部３は、送風ダクト２２の横方向部分２２２に設けられた係合部３１と、ケース形態の送風機保持部分２１の水槽９に向けられる面に設けられた吸盤３２とからなっている。吸盤３２は、それ自体知られているもので、柔軟性を有する傘形部分を平坦面に押しつけて内部空気を排除することで、該平坦面に吸着させることができるものである。            
【００２５】
図３（Ａ）は、図１に示す送風装置Ａの送風ダクト横方向部分２２２と、それに設けられた係合部３１を示すための、図１のＸ−Ｘ線に沿う断面図である。図３（Ｂ）は該係合部３１における当接部材３１２の平面図である。
【００２６】
図１及び図３（Ａ）に示すように、係合部３１は、送風ダクト横方向部分２２２の下面に設けられた一対のガイド部材３１１と、これに案内される当接部材３１２とを含んでいる。ガイド部材３１１は、送風ダクト横方向部分２２２と同方向に延在している。ガイド部材３１１は、後述するように、水槽９の上端縁部（ここでは水槽上枠９１）に上方から着座する着座部を兼ねている。
【００２７】
当接部材３１２は、送風ダクト立ち上がり部分２２１と平行に上下方向に延びる板状の当接部材本体３１２ａと、該本体の上端に一体的に連設されて該本体に対し略９０度の方向に延びる板状のスライド部３１２ｂとからなっている。
【００２８】
スライド部３１２ｂは、図３（Ａ）に示すように、その両耳部３１２ｂ’が前記の一対のガイド部材３１１に摺動可能に嵌合しており、これにより当接部材３１２は、その全体が送風ダクト立ち上がり部分２２１へ接近する方向、該立ち上がり部分２２１から遠ざかる方向に往復動可能である。
【００２９】
係合部３１は、また、当接部材３１２をその現状位置に維持する維持部３１３を含んでいる。維持部３１３は、前記一対のガイド部材３１１の間において、送風ダクト横方向部分２２２の下面に形成した、複数段の爪係合部３１３ａと、当接部材３１２のスライド部３１２ｂに設けた爪部３１３ｂとを含んでいる。爪部３１３ｂは、図３（Ｂ）に示すように、スライド部３１２ｂを門形に切って形成した、片持ち支持型の可撓性舌片３１３ｃの自由端に形成してある。
【００３０】
当接部材３１２をガイド部材３１１に沿って摺動させると、当接部材３１２のスライド部３１２ｂにおける舌片３１３ｃが上下に撓みながら、該舌片上の爪部３１３ｂと送風ダクト側の爪係合部３１３ａとが係合脱離を繰り返すので、当接部材３１２をガイド部材３１１に沿って往復動させることができる。一方、当接部材３１２を動かすことを止めると、その位置で、爪部３１３ｂと丁度そのとき該爪部３１３ｂに係合している爪係合部３１３ａとにより、当接部材３１２をその位置に維持できる。
【００３１】
後述するように、当接部材３１２を水槽９の上枠９１に水槽内側から当接するように移動させて、その当接位置に維持させることもできる。すなわち、当接部材３１２をその現状位置に維持する、この維持部３１３は、当接部材３１２を水槽９の上端縁部（ここでは水槽上枠９１）に水槽内側から当接させて維持する当接位置維持部として機能する。
【００３２】
以上説明した送風装置Ａによると、図１に示すように、付設部３の係合部３１における当接部材３１２を送風ダクト立ち上がり部２２１からある程度遠ざけた位置におき、該係合部３１における、着座部を兼ねる一対のガイド部材３１１を水槽上枠９１に上方から着座させ、付設部３の吸盤３２を水槽側壁（ここではガラス板）９２の外面に吸着させるとともに、係合部３１の当接部材３１２をガイド部材３１１に沿って送風ダクト立ち上がり部２２１の方へ摺動させ、水槽上枠９１に水槽内側から当接させ、その当接位置を前記の当接位置維持部３１３に維持させることで、送風装置Ａ全体を水槽９に安定的に付設することができる。
【００３３】
このように、送風装置Ａを水槽９に付設した状態では、送風装置Ａの送風機保持部分２１に形成された外気吸引口２１１は、水槽９の外側に位置し、且つ、水槽上端開口面より下方に位置して水槽とは反対側に向いている。一方、送風ダクト２２の送風口２２ｂは槽内水面ＷＦに向いている。
【００３４】
従って、送風機１を運転することで、外気吸引口２１１から送風機吸気口１１へ水槽周囲の外気を吸引し、送風機排気口１２から排気して、送風ダクト２２により送風し、送風口２２ｂから槽内水面ＷＦへ向け送風、吹きつけすることができ、これにより、槽内水温を調整することができる。
【００３５】
この送風装置Ａによると、付設部３にて水槽９に付設された状態では、外気吸引口２１１が水槽９の外側に位置し、且つ、上端開口面より下方に位置するので、槽内水面ＷＦから上昇してくる蒸気が直接的に送風装置Ａに吸い込まれることが抑制され、水槽周囲の外気が送風装置に吸い込まれる。
従って、水面ＷＦへの送風量が従来タイプの送風装置と同じ、或いはほぼ同じであるような場合でも、該送風により効率よく槽内水温を調整できる。
【００３６】
付設部３の係合部３１の当接部材３１２を水槽上枠９１から後退させ、吸盤３２を水槽側壁９２から取り外せば、送風装置Ａ全体を簡単に水槽から取り外せる。
【００３７】
なお、本発明は、以上説明した送風装置Ａに限定されるものではない。例えば、付設部３における水槽上端縁部への係合部における当接部材３１２のための当接位置維持部として、前記維持部３１３のように爪係合部３１３ａとこれに係合脱離可能の、可撓性舌片３１３ｃ上の爪部３１３ｂとを含む構成のものに代えて、図４に例示する係合部３１’におけるように、送風ダクト横方向部分２２２の下面に立設したボルト３１３ｄを当接部材３１２のスライド部３１２ｂに形成した長孔３１３ｅに貫通させ、貫通したボルト部分に、スライド部３１２ｂの下側から止めナット３１３ｆを螺合させた構成の維持部３１３’も採用できる。
【００３８】
また、本発明に係る送風装置は、例えば、送風機１の吸気口１１をそのまま外気吸引口として用い、送風機１の排気口に前記の送風口２２ｂを有する送風ダクト２２を接続し、さらに吸盤３２は送風機１に設け、送風ダクト２２の横方向部分２２２における係合部３１と送風機１に設けた吸盤３２とで付設部とした送風装置であってもよい。
【産業上の利用可能性】
【００３９】
本発明は、魚等の動物の飼育や観賞、植物の育成や観賞等に用いることができる水槽の槽内水面に送風して水槽内水温度を効率よく調整することに利用できる。
【図面の簡単な説明】
【００４０】
【図１】本発明に係る水槽内水温調整用送風装置の１例を、水槽に付設した状態で示す図である。
【図２】図１に示す送風装置を図１において右側から見た図である。
【図３】図３（Ａ）は、図１に示す送風装置の送風ダクト横方向部分とそれに設けられた係合部を示すための、図１のＸ−Ｘ線に沿う断面図であり、図３（Ｂ）は該係合部における当接部材の平面図である。
【図４】付設部の係合部における当接位置維持部の他の例を示す図である。
【符号の説明】
【００４１】
Ａ  水槽水温調整用送風装置
１  送風機
１１  吸気口
１２  排気口
２  送風機支持部
２１  送風機保持部分
２１１  外気吸引口
２２  送風ダクト
２２１  送風ダクト立ち上がり部分
２２２  送風ダクト横方向部分
２２ａ  立ち上がり部分２２１の下端開口（ダクトの一端開口）
２２ｂ  横方向部分２２２の先端開口（送風口）（ダクトの他端開口）
３  付設部
３１  係合部
３１１  着座部を兼ねるガイド部材
３１２  当接部材
３１２ａ  当接部材本体
３１２ｂ  スライド部
３１２ｂ’  スライド部の耳部
３１３  当接位置維持部
３１３ａ  爪係合部
３１３ｂ  爪部
３１３ｃ  可撓性舌片
３２  吸盤
３１’    係合部
３１３’  当接位置維持部
３１３ｄ  ボルト
３１３ｅ  長孔
３１３ｆ  止めナット
９  水槽
９１  水槽上枠
９２  水槽側壁
ＷＦ  槽内水面
【図１】
2006149362.tif 000003
【図２】
2006149362.tif 000004
【図３】
2006149362.tif 000005
【図４】
2006149362.tif 000006
【手続補正書】
【提出日】平成18年3月20日(2006.3.20)
【手続補正１】
【補正対象書類名】特許請求の範囲
【補正対象項目名】請求項１
【補正方法】変更
【補正の内容】
【請求項１】
水槽内の水面に送風して水槽内水温度を調整するための水槽水温調整用送風装置であり、送風機と、該送風機へ外気を吸引するための外気吸引口と、該送風機から送風するための送風口と、送風装置全体を水槽へ付設するための付設部とを含んでおり、該付設部にて水槽に付設された状態で該送風機及び該外気吸引口が水槽の側壁外側で水槽の上端開口面より下方に位置するとともに該送風口が水槽内水面に送風する位置をとることを特徴とする水槽水温調整用送風装置。
【手続補正２】
【補正対象書類名】特許請求の範囲
【補正対象項目名】請求項２
【補正方法】変更
【補正の内容】
【請求項２】
前記送風機は吸気口と排気口を含んでおり、前記外気吸引口は該送風機の吸気口に連通しており、前記送風口は該送風機の排気口に連通している請求項１記載の水槽水温調整用送風装置。